(57)【要約】  本発明は卵のような壊れ易い物品を受け入れるための、繊維質材料のパッケージであって、底部分（２）と該底部分にヒンジで接続された蓋部分（３）とを備えたパッケージに関し、特に簡単であるが、安定した要領で蓋部分を底部分に解除可能に保持するための各種の保持手段に関するものである。従って、本発明によれば、前記底部分のフランジ状の上側周縁部分（６）の適当な部分と係合するように前記蓋部分にある保持手段が提供され、前記保持手段は一実施例によれば前記蓋部分の前側部（４）の内面に設けられた突起（７）から構成される。前記蓋部分が開放位置から前記底部分の上に閉鎖位置まで旋回すると、前記蓋部分の１個以上の突起が前記底部分の前記の上側周縁部分の下面と係合するように持ってこられ、それによって前記蓋部分を底部分に対して解除可能に保持する。代替的な可能性、すなわち例えば蓋部分にある適当な形状の開口と係合するように前記底部分の上側縁領域に適当な突起を設けることも説明されている。
2007508207.tif 000002
【特許請求の範囲】
【請求項１】
例えば卵のような包装すべき１個以上の壊れ易い物品を受け入れるための、繊維質材料を吸引成形することによって形成されたパッケージ（１）であって、
―  包装すべき物品の外形と少なくとも部分的に適合するように非平坦の側面を含む底部分（２）であって、該底部分（２）の上側周縁部分（６）が該底部分（２）から外方に延在している底部分（２）と、
―  縁部（１７，１８）を形成するように角度をつけて合流する少なくとも上面（１６）と前面（４）とを含む蓋部分（３）と、を含み、
―  前記底部分（２）は前記蓋部分（３）が開放位置と閉鎖位置との間で動きうるようにするためヒンジ（５）によって前記蓋部分（３）に接続されており、
―  前記前面（４）が前記縁部（１７，１８）から下方へ延在しており、前記蓋部分（３）がその閉鎖位置にあるとき、前記ヒンジ（５）とは反対の側で前記底部分（２）の前記非平坦な側面と重なるようにされたパッケージ（１）において、
前記蓋部分（３）には、前記パッケージ（１）が閉鎖されつつあるとき、前記底部分（２）の上側周縁部分（６）とロッキング係合するための少なくとも１個の内方に延在している突起（７）が設けられていて、前記ヒンジ（５）は前記底部分（２）の上側周縁部分（６）の高さより上方に位置していることを特徴とするパッケージ（１）。
【請求項２】
農産物が卵であり、前記パッケージ（１）の底部分（２）には卵を収容するためのポケット（１２）がパターン配列で設けられていることを特徴とする請求項１に記載のパッケージ。
【請求項３】
前記パッケージ（１）が成形された製品であることを特徴とする請求項１または２に記載のパッケージ。
【請求項４】
前記パッケージ（１）が単品として成形されていることを特徴とする請求項３に記載のパッケージ。
【請求項５】
前記パッケージ（１）が成形されたパルプからつくられていることを特徴とする請求項１から４までのいずれか１項に記載のパッケージ。
【請求項６】
前記蓋部分（３）にはその前面（４）において縁部分（１９）が設けられており、前記の１個以上の突起（７）が前記縁部分（１９）に概ね隣接して設けられていることを特徴とする請求項１に記載のパッケージ。
【請求項７】
前記１個以上の突起（７）の前記底部分（２）の前記上側周縁部分（６）に対するロッキング係合が隣接するポケット（１２）の間のフランジ状上側周縁部分（６′）において行われることを特徴とする請求項２に記載のパッケージ。
【請求項８】
前記パッケージには更に、前記蓋部分（３）の前側部（４）にある１個以上の開口（１０）と前記ヒンジ（５）の反対側で前記底部分（２）の側面（２４）にある協働保持突起（１１）とからなる保持手段が設けられていることを特徴とする請求項１に記載のパッケージ。
【請求項９】
前記底部分（２）のフランジ状上側周縁部分（６）には更に、外方に延在した保持用フラップ（２５）が設けられていることを特徴とする請求項１または８に記載のパッケージ。
【請求項１０】
前記フラップ（２５）が前記蓋部分（３）の突起（７）の係合用面（８）と係合するように位置されていることを特徴とする請求項９に記載のパッケージ。
【請求項１１】
前記フラップ（１５）が前記蓋部分（３）に設けられた前記開口（１０）の縁部分（２３）と係合するように位置されていることを特徴とする請求項９に従属した場合の請求項９に記載のパッケージ。
【請求項１２】
例えば卵のような包装すべき１個以上の壊れ易い物品を受け入れるための、繊維質材料を吸引成形することによって形成されたパッケージ（１）であって、
―  包装すべき物品の外形と少なくとも部分的に適合するようにした非平坦側面を含み、上側の周縁部分（６）を備えた底部分（２）と、
―  縁部（１７，１８）を形成するよう角度をつけて合流する少なくとも上面（１６）と前面（４）とを含む蓋部分（３）と、を含み、
―  前記底部分（２）は前記蓋部分（３）が開放位置と閉鎖位置との間で動きうるようにするためにヒンジ（５）によって前記蓋部分（３）に接続されており、
―  前記前面（４）が縁部（１７，１８）から下方に延在し、前記蓋部分（３）が閉鎖位置にあるとき前記ヒンジ（５）とは反対の側で前記底部分（２）の前記非平坦な側面と重なるようなパッケージ（１）において、
前記底部分（２）には前記上側周縁部分（６）に隣接して前記蓋部分（３）に設けられた協働手段とロッキング係合するよう少なくとも１個の外方に延在した突起が設けられており、前記ヒンジ（５）が前記底部分（２）の上側周縁部分（６）の高さより上方に位置していることを特徴とするパッケージ（１）。
【請求項１３】
前記蓋部分（３）における前記協働手段が前記蓋部分（３）の前面にある１個以上の開口であることを特徴とする請求項１２に記載のパッケージ。
【発明の詳細な説明】
【技術分野】
【０００１】
本発明は、特許請求の範囲請求項１の前提部に記載した種類のパッケージに関し、特にそのようなパッケージの蓋部分が故意ではなく開くのを阻止する保持手段（ｒｅｔａｉｎｍｅｎｔ  ｍｅａｎｓ）に関するものである。
【背景技術】
【０００２】
前述の種類のパッケージ、すなわち例えば卵のような包装すべき１個以上の壊れ易い物品を受け入れるための、繊維質材料を吸引成形（ｓｕｃｔｉｏｎ  ｍｏｕｌｄｉｎｇ）することによって形成したパッケージは当該技術分野において周知である。これらの中で、特に卵用の諸々のパッケージが多数述べられてきた。そのようなパッケージは一般に、卵を収容するためのポケット状区画室のパターン配列（ａ  ｐａｔｔｅｒｎ  ｏｆ  ｐｏｃｋｅｔ−ｌｉｋｅ  ｃｏｍｐａｒｔｍｅｎｔｓ）を備えた底部分と、閉鎖位置と開放位置との間で動くことのできるように該底部分に対してヒンジ接続されることが多い蓋部分とを備える。殆どのそのようなパッケージには更に、閉鎖位置において底部分に前記蓋部分を解除可能に保持する保持手段を備えており、この目的に対して多数の諸々の保持手段が述べられてきた。
【０００３】
そのような保持手段は、例えば米国特許第４，７８２，９９５号公報（ＵＳ  ４，７８２，９９５）および米国特許第５，８６０，５２８号公報（ＵＳ  ５，８６０，５２８）に記載されており、これらの手段に共通して、またこの種のその他多くのパッケージから知られている同等の保持手段は、蓋部分あるいは底部分のいずれか、あるいはそれらの双方に専用の保持手段が設けられたものである。
【０００４】
比較的単純なタイプの保持手段が欧州特許第１  ０９８  ８２６Ｂ１号公報（ＥＰ１  ０９８  ８２６  Ｂ１）に記載されており、この保持手段は底部分に位置する相手側の外方に延在する突出部材を解除可能に保持するための蓋部分前面の縁領域（ｅｄｇｅ  ｒｅｇｉｏｎ）の近傍に開口を備えている。蓋部分が底部分に対して閉鎖されると、これらの外方に突出した部材が前記穴の周囲の一部と保持係合関係に入り、そして後で蓋部分の前記縁領域を外方および上方に引っ張ることによって前記突出部材を前記穴から外すことが可能で、それによってパッケージを開くことができるようになる。
【０００５】
前述のパッケージには色々な欠点がある。このように、一般的に専用の保持手段が蓋部分と底部分との双方に必要とされることであり、少なくとも前述した欧州特許第１  ０９８  ８２６Ｂ１号公報に開示されたパッケージに関していえば、それによって達成される保持性は、部分的には、蓋部分の縁領域の近傍に蓋部分の保持用開口が位置しており、その蓋部分はパッケージ材料が蓋部分を底部分に確実に安定的に保持するために必要とされる剛性を常に有するとは限らないという事実によって、常に十分信頼し得るとは限らない。
【発明の開示】
【発明が解決しようとする課題】
【０００６】
前述した背景に基づいて、本発明の目的は、パッケージの蓋部分と底部分とが底部分の上側の周縁部分（ｒｉｍ  ｐｏｒｔｉｏｎ）と蓋部分の下側の縁部分（ｅｄｇｅ  ｐｏｒｔｉｏｎ）とに沿って相互にヒンジ接続されているパッケージの底部分に対する蓋部分の保持性を改良することである。
【課題を解決するための手段】
【０００７】
従って、本発明の一局面によると、例えば、卵のような１個以上の壊れ易い物品を受け入れるための、繊維質の材料を吸引成形によって形成したパッケージであって、以下の主要な部分、すなわち、
―  包装すべき物品の外形と少なくとも部分的に適合するように非平坦な側面を含む底部分であって、該底部分の上側縁領域に沿って延在し、かつ該底部分から外方へ延在する上側周縁部分を備えている底部分と、
―  角度をつけて合流して縁部（ｅｄｇｅ）を形成する少なくとも上面と前面とを含む蓋部分、とを含み、
―  前記蓋部分が開放位置と閉鎖位置との間で動きうるようにするために前記底部分がヒンジによって蓋部分に接続されており、
―  前記蓋部分の前面が前記縁部から下方に延在し、該蓋部分が閉鎖位置にあるとき、前記ヒンジとは反対の側で前記底部分の非平坦な側面と重なるようにされており、
―  前記蓋部分には、パッケージが閉鎖されているとき、底部分の上側の周縁部分とロッキング係合する少なくとも１個の内方に延在する突起が設けられており、
―  前記ヒンジが前記底部分の上側周縁部分の高さより上方に位置されている、パッケージが提供される。
【０００８】
底部分の上側周縁部分と係合する前記の内方に延在する突起を設けることは、これらの突起が結果的に蓋部分の自由縁部分からより離れて位置する、すなわち蓋部分の全体剛性がその自由縁部分の近傍におけるよりも大きい蓋部分の位置において配置されているという点で有利である。
【０００９】
更に、ヒンジ部分を底部分の上側周縁部分の高さよりも上に位置させることによって、蓋部分の横断面形状は、ヒンジ部分が周縁部分に位置されていた蓋部分における対応の断面形状と比較して修正されており、この修正されたもの自体は蓋部分の横方向剛性を増大させ、従って底部分に対する蓋部分の確実な保持性を高める。
【００１０】
更に、このようにヒンジ部分を位置させることで有利なのは、パッケージを開閉する間、蓋部分の保持突起が、これらの対応する保持部分の材料の変形をごく僅かにしながら、底部分の上側縁部領域に沿って延在する該上側縁部分の下方にあるそれらの保持位置へ旋回することを可能とすることである。
【００１１】
パッケージは適当な弾性を有するその他の材料も考えられるものの、成形パルプ（ｍｏｕｌｄｅｄ  ｐｕｌｐ）から作られることが好ましい。
【００１２】
本発明は、底部分の上側縁部領域に沿って延在し、該底部分から外方へ延在する前記の上側周縁部分を底部分に存在させるという有利性を利用している。本明細書で扱っている種類のパッケージの底部分にある前記のフランジ状の上側周縁部分は例えば前述した文書から周知であり、卵用トレイなどの底部分にある種々のポケットを接続するブリッジ構造（ｂｒｉｄｇｉｎｇ  ｓｔｒｕｃｔｕｒｅ）の一部を形成している。本発明によれば、この特徴、すなわち底部分のフランジ状上側周縁部分は、前述した補完的な保持手段の一つとして有利に利用可能であり、蓋部分は適当な補完的な突起であって、パッケージを閉鎖する間前記の上側の周縁部分と保持係合するようにされる突起を備えている。この機構の特定実施例は本発明の以下の詳細説明において説明されている。
【００１３】
蓋部分の前述の突起は原則として、それがこの縁部分に沿ったいずれかの箇所で前記底部分の該上側周縁部分と係合するようにされる位置において前記蓋部分に位置させることができる。前記縁部分は典型的には底部分の対応する部分から、該底部分におけるポケットに沿って前記縁部分が延在する前記底部分のこれらの領域において極めて限定された距離だけ外方に延在するだけなので、パッケージを閉鎖する間前記突起が隣接するポケットの間の領域において底部分の上側周縁部分と係合するようにされるよう前記突起を蓋部分に位置させることが有利である。このことは、本発明の以下の詳細説明から直ちに明らかとなる。
【００１４】
補完的な保持手段の一つとして底部分のそのままのフランジ状上側周縁部分を使用できるという可能性は本発明の原理の有利な実施例として説明してきたが、フランジ状の上側周縁部分に１個以上の個別のフラップなどを設けることも可能である。この可能性は例えば、前述のように、例えばポケットの外面に沿って、底部分から短い距離だけ外方へ該底部分のフランジ状上側周縁部分が延在する場所に、前記底部分のフランジ状上側縁部分と係合するのに対応する場所として蓋部分の前記突起を設けることが何らかの理由で望ましい場合に利用することができる。
【００１５】
特に前述の文書である欧州特許第１  ０９８  ８２６Ｂ１号公報に開示されているパッケージと比較して、本発明による保持手段はパッケージの底部分に対する蓋部分の保持が時折望ましくないという問題に対する単純ではあるが信頼できる方法を提供する。このように、底部分のフランジ状上側周縁部分と係合するように蓋部分に突起を位置させることにより、補完的保持手段の一つ、すなわち突起は、欧州特許第１  ０９８  ８２６Ｂ１号公報に記載のパッケージにおけるよりも蓋部分の前面の最下方縁部領域からより遠く離れて、すなわち欧州特許第１  ０９８  ８２６Ｂ１号公報に記載のパッケージの蓋部分における相応の保持手段よりも横断方向の伸展性（ｔｒａｎｓｖｅｒｓａｌ  ｃｏｍｐｌｉａｎｃｅ）が少ない（剛性が増している）蓋部分の領域に、必然的に位置するようになる。
【００１６】
本発明による保持手段の別の補完的な実施例として、パッケージの蓋部分に設けられた協働手段とロッキング係合するための突起をパッケージの底部分に設けることも可能である。このように、本発明のこの実施例によると、例えば卵のような包装すべき１個以上の壊れ易い物品を受け入れるための、繊維質材料を吸引成形して形成したパッケージであって、
―  少なくとも部分的に包装すべき物品の外形と適合するように非平坦な側面を含み、かつ上側の周縁部分を備えた底部分と、
―  角度をつけて合流し縁部を形成する少なくとも上面と前面とを含む蓋部分と、を含み、
―  前記底部分（２）は蓋部分が開放位置と閉鎖位置との間で動くようにしうるようにするためにヒンジによって前記蓋部分に接続されており、
―  前記前面が縁部から下方へ延在し、蓋部分がその閉鎖位置にあるときヒンジとは反対側の底部分の非平坦な側面と重なるパッケージであって、
前記上側周縁部分に隣接した底部分には蓋部分に設けられた協働手段とロッキング係合する少なくとも１個の外方に延在する突起が設けられ、前記ヒンジ（５）が前記底部分（２）の上側周縁部分（６）の高さよりも上方に位置されているパッケージが提供される。
【００１７】
特に、本実施例の蓋部分にある協働手段とは前記蓋部分の前面にある１個以上の開口である。もっとも当該技術分野の専門家にはその他の均等な手段も考えられうる。
【００１８】
添付図面を参照して本発明を以下詳細に説明する。
【００１９】
以下に、本発明による保持手段の特定実施例の詳細説明が、パッケージが閉鎖状態にあるとき、パッケージの蓋部分をその底部分に対して安定してロックするための手段を含む例示パッケージを参照して、提供される。
【００２０】
図１を参照すれば、ヒンジ部分５によって相互に蝶番的に接続されている底部分２と蓋部分３とを含む、卵用パッケージ１が示されている。蓋部分３は、概ね平坦な上面１６と、パッケージの閉鎖状態において底部分２の概ね全高に亘って、すなわち図１と図３とにおいて参照数字１５によって示される底の高さまで下方に延在する概ね平坦な前側部（ｆｒｏｎｔａｌ  ｓｉｄｅ）４とを含む。
【００２１】
図１に示すパッケージの底部分２は全体的に１２で示す、卵用の合計１２個のポケットを含む。底部分２の上側縁部に沿って、底部分それ自体の上側の高さを画成する上側のフランジ状周縁部分６が延在している。前記高さより上方には、前記底部分２と蓋部分３とを接続するヒンジ部分５が位置している。
【００２２】
上側のフランジ状周縁部分６は卵用ポケット１２から数ミリメートル外方へ延在し、また隣接する卵用ポケットとの間に形成された空隙１３をふさいでいる。上側周縁部分６のこれらのブリッジ部分（ｂｒｉｄｇｉｎｇ  ｐｏｒｔｉｏｎｓ）は図では６′で示されており、１個以上のこれらのブリッジ部分６′の下面は以下説明する要領で本発明による相互に対応する保持手段の一方として有利に利用することができる。
【００２３】
蓋部分３の前側部４の内面には、本発明の本実施例によれば、内方に延在した突起７を備えており、蓋部分の上面１６に面した前記突起の係合面８は概ね平坦である。もっともこの面および突起７の面は一般的にその他の形状も可能である。蓋部分２が閉鎖されつつあるとき、突起７の最内方部分はフランジ状の上側周縁部分６の対応する最外方部分の上を通過するが、これが可能なのは前記前側部４が弾性であるためであり、突起７は対応するブリッジ部分６′の下の空隙１３へ入り、これによって、突起の係合面８はブリッジ部分６′の下面との保持係合関係へ入り、蓋部分３を底部分２に対して保持する。パッケージを再度開放するには、蓋部分３の前側部４が外方へ引っ張られることによって、突起７と対応するブリッジ部分６′との間の係合を解除することができる。
【００２４】
図２Ａおよび図２Ｂを参照すれば、本発明による保持手段を含むパッケージの好適実施例が示されている。このパッケージは特に、５個ずつ二列の卵を収納するように設計され、単一の底部分２と対応する蓋部分３とを含む。図２Ａと図２Ｂとに示すパッケージは、双方とも蓋部分に保持用突起７と、更に先に引用した欧州特許第１  ０９８  ８２６号公報から知られている保持手段１０，１１を含んでいる。更に、パッケージのこの実施例によれば、底部分２の上側の周縁部分６には、蓋部分３にそれぞれ設けられた対応する突起７と開口１０と係合するための保持フラップ２５Ａと２５Ｂとが設けられている。これらの対とされた保持用フラップ２５Ａ，２５Ｂは図２Ｂに示されている。
【００２５】
図２Ｃを参照すれば、蓋部分３において保持用突起７と、底部分の上側周縁部分において対応するフラップ２５Ａとのみを含むパッケージの実施例が示されている。従って、パッケージのこの実施例には最初に引用した欧州特許第１  ０９８  ８２６号公報から知られている保持手段は設けられていない。
【００２６】
さて図３を参照すれば、図１に示すパッケージの側面図が示されている。上面１６と平坦な前側部４との間の変移はこのパッケージにおいて丸みをつけた縁部分１７を介して行われ、突起７はこの縁部分１７と前側部４の遠位側の縁部分２１との間の概ね中間に位置していることが判る。
【００２７】
代替的なパッケージの側面図が図４に示されており、そこでは図３に示すパッケージの丸みをつけた縁部分１７が縁部分１８および１９によって長手方向に囲まれた概ね平坦な縁部２０に置き換わっている。
【００２８】
図１に戻れば、底部分２と蓋部分３とは、任意であるが、最初に引用した欧州特許第１  ０９８  ８２６号公報から既に知られている保持手段が更に設けられている。本発明による保持手段の主要な利点は欧州特許第１  ０９８  ８２６号公報に記載の保持手段と本発明によるものとの間を比較すれば明らかとなる。
【００２９】
欧州特許第１  ０９８  ８２６号公報による保持手段は前側部４に１個以上の長方形の孔（ｒｅｃｔａｎｇｕｌａｒ  ｈｏｌｅｓ）１０と底部分２の１個以上のポケット１２に位置した対応する突起１１とを含む。図３および図４から明らかなように、これらの突起は傾斜部分２２において下方に終わっており、蓋部分３が閉鎖されると、これらの傾斜部分２２と前側部４の孔の対応する縁部分２３との間に保持係合が達成される。しかしながら、前記突起はポケット１２の対応する面から外方に単に数ミリメートル、典型的には約３ミリメートル、突出するのみであり、これらの手段による安定した保持性は前側部４が概ね平面であり、底部分２に対して外方に弧状とされた形状を呈さないことを必要とする。実際に、この要件は常に満足されることはなく、このことが、パッケージが開放されようとする包装工程の間とか、店頭にあるときの双方において問題を発生させることが判明した。これらの問題は本発明による保持手段によって解決される。
【００３０】
最後に図５を参照すれば、本発明において説明されている保持手段の実施例が示されており、本発明による底部分２のフランジ状上側縁部６には更に外方に延在した保持フラップ２５が設けられている。そのようなフラップは一つの可能性としては、前述のように、蓋部分３にある保持開口１０の位置に対応する上側縁部６の部分に位置され、その場合、開口１０と突起１１との間の係合が解除されると開口１０と対応するフラップ２５との間がその後係合するため蓋部分が依然として完全に開放することがないようにされるという点に関して、開口１０と底部分２の対応する突起１１とによって提供された保持手段に対する補完的な保持手段として役立ちうる。しかしながら、保持フラップ２５をポケット１２間の底部分２の上側縁部６の領域、すなわち図において６′によって示された領域に位置させることも可能であり、その場合、フラップは蓋部分３の突起７と底部分２の上側縁部６のこの部分６′との間の係合の補強として作用しうる。
【００３１】
本発明の各種の実施例を詳細説明の前述した部分において図示し、かつ説明してきたが、当該技術分野の専門家には特許請求の範囲に記載の範囲から逸脱することなく本発明のその他の実施例も想起し得ることが理解される。例えば、前述した保持手段の各種の組み合わせを利用することが可能であり、適当数の対応する保持手段や、蓋部分や底部分におけるそれらの位置は特定の要件に従って変更することも可能である。また前述のように、保持フラップを底部分の上側縁領域上、あるいはその周りの領域に適当に設けることも可能である。
【図面の簡単な説明】
【００３２】
【図１】開放状態で示されているパッケージであって、前記パッケージが閉鎖状態にあるときに該パッケージの底部分に対して蓋部分を保持するための本発明による相互に対応した保持手段を備えたパッケージの実施例の斜視図である。
【図２Ａ】本発明による保持手段を備えたパッケージの好適実施例の第一の斜視図である。
【図２Ｂ】図２Ａに示した、本発明による保持手段を備えたパッケージの好適実施例の第二の斜視図である。
【図２Ｃ】本発明による保持手段を備えたパッケージの実施例の斜視図である。
【図３】開放状態で、本発明による保持手段を備えたパッケージの側面図である。
【図４】本発明による保持手段を備えた別の、より好適なパッケージである。
【図５】本発明による別の保持フラップを備えたパッケージの斜視図である。
【符号の説明】
【００３３】
１  パッケージ
２  パッケージの底部分
３  パッケージの蓋部分
４  蓋部分の前側部
５  ヒンジ部分
６  底部分のフランジ状上側周縁部分
６’  卵ポケット間の底部分のフランジ状上側周縁部分
７  蓋部分の突起
８  突起の係合面
９  縁部
１０  蓋部分の保持開口
１１  底部分の保持用突起
１２  ポケット
１３  隣接するポケット間の領域
１４  開口
１５  基礎面（ｕｎｄｅｒｌｙｉｎｇ  ｓｕｒｆａｃｅ）
１６  上面
１７  丸みをつけた縁部分
１８  縁部分
１９  縁部分
２０  平坦な縁部分
２１  蓋部分の前側部の遠位側の縁部分
２２  保持用突起の傾斜部分
２３  保持開口の縁部分
２４  ヒンジ部分の反対側の底部分の側面
２５  保持フラップ
【図１】
2007508207.tif 000003
【図２Ａ】
2007508207.tif 000004
【図２Ｂ】
2007508207.tif 000005
【図２Ｃ】
2007508207.tif 000006
【図３】
2007508207.tif 000007
【図４】
2007508207.tif 000008
【図５】
2007508207.tif 000009
【国際調査報告】
2007508207.tif 000010
2007508207.tif 000011
2007508207.tif 000012